(57)【要約】      （修正有）【課題】多重座標式矯正用インプラント定位装置を提供する。【解決手段】本多重座標式矯正用インプラント定位装置は、適当な厚みを有する測定基準材１０を設け、該測定基準材にはＸ線不透過性の測定目盛１１を備える。前記測定基準材の一方側縁箇所には歯に付着固定させる固定材１２を連結する。前記測定目盛には座標式の定位構造１３を備え、該定位構造には少なくとも一つの親座標２０と一つの子座標３０とを備え、前記親座標によって定位構造を複数の座標エリア２１に分け、各座標エリアは全て親座標により親座標番号を読み取り、指定する座標エリアには前記子座標を配置する。親座標と子座標間の独立した座標体系によって埋入点に対する初歩段階の定位及び詳細定位を行うもので、これにより、正確度を失わないのと同時にミスを減らし、矯正用インプラントの埋入手術効率を高める効果を発揮する。【選択図】図２
0003165623.tif 000002
【実用新案登録請求の範囲】
【請求項１】
患者の二歯間の頬側或いは舌側歯茎に付着させ、測定及び定位基準とする多重座標式矯正用インプラント定位装置は、適当な厚みを有する測定基準材を設け、前記測定基準材は十分な強度をもって矯正用インプラント埋入の一時的な支持体となり、しかも十分な軽さと薄さを有するために患者の頬側或いは舌側の空間への配置が可能であり、前記測定基準材にはＸ線不透過性材料radiopaque materialで製作した測定目盛を備え、
前記測定基準材の一方側縁箇所には歯に付着固定させる固定材を連結し、前記測定目盛には座標式の定位構造を備え、前記定位構造には少なくとも一つの親座標と一つの子座標とを備え、前記親座標によって定位構造を複数の座標エリアに分け、各座標エリアは全て親座標により親座標番号を読み取り、指定する座標エリア中には前記子座標を有し、前記子座標によって詳細定位を行うことを特徴とする多重座標式矯正用インプラント定位装置。
【請求項２】
前記親座標は直角座標体系とし、前記測定目盛間には複数の矩形の座標エリアを形成することを特徴とする請求項１記載の多重座標式矯正用インプラント定位装置。
【請求項３】
前記子座標中には複数の座標枠及び少なくとも一つの定位記号を配置することを特徴とする請求項２記載の多重座標式矯正用インプラント定位装置。
【請求項４】
前記測定基準材の二つの相隣するエッジにはそれぞれ第一座標軸記号と第二座標軸記号を配置することを特徴とする請求項３記載の多重座標式矯正用インプラント定位装置。
【請求項５】
前記第一座標軸記号及び第二座標軸記号は、左右対称となる図形符合を選ぶことを特徴とする請求項４記載の多重座標式矯正用インプラント定位装置。
【請求項６】
前記第一座標軸記号は測定基準材と固定材を連結した側の反対側に配置し、第二座標軸記号は測定基準材と固定材を連結した側辺の隣接側に設けることを特徴とする請求項４記載の多重座標式矯正用インプラント定位装置。
【請求項７】
前記親座標には少なくとも２×２の直角座標を配置することを特徴とする請求項３記載の多重座標式矯正用インプラント定位装置。
【請求項８】
前記子座標には均等に分割した３×３の直角座標を配置し、前記座標エリアを９つの座標枠に分け、真中の座標枠に定位記号を配置することを特徴とする請求項３記載の多重座標式矯正用インプラント定位装置。
【請求項９】
前記測定基準材は可撓性材質により製作され、口腔内部空間に合わせて折り曲げられることを特徴とする請求項１乃至８の何れか１項に記載の多重座標式矯正用インプラント定位装置。
【考案の詳細な説明】
【技術分野】
【０００１】
本考案は歯列矯正に応用する定位補助装置に関するもので、特に診断評価をする時に迅速且つ精確に矯正度の基準を提供し、矯正用インプラントの埋入位置を確定するのに役立てる定位装置に係る。  
【背景技術】
【０００２】
近年、インプラント矯正は全世界矯正界での臨床の歯列矯正治療において迅速且つ全面的に応用されている。いわゆるインプラント矯正はマイクロインプラントを顎の骨に埋入し、マイクロインプラントを固定源として安定的な引張力を提供し、歯を移動させるもので、これによって最良の咬合関係と顔面の改善を行い、歯列矯正の治療効果を促進する。矯正治療を完成させた後、マイクロインプラントは口内から取り出す。前記の通り矯正を目的として一時的に顎の骨に埋入したマイクロインプラントを矯正用インプラントと呼ぶ。
【０００３】
矯正用インプラントの臨床使用により、矯正過程において安定した引張源を提供することが理解されている。矯正用インプラントは、矯正治療の生物力学的設計を簡素化するだけでなく、患者の協力を不要とし、矯正治療過程を加速化し、矯正治療時間を短縮する。また、もともと入院手術をするはずの患者が、簡単な手術で最良の矯正治療効果が得られ、大幅に医療費用を削減できる。インプラントを埋入する場合、患者の体質や身体構造の差異がある故に、インプラント埋入位置が不適当となり、歯茎を傷つける問題が発生することもある。
【０００４】
前記の如く矯正用インプラントの埋入位置が不適当となる問題を避け、並びに、最大幅が矯正用インプラント埋入時に発生する角度偏差を減少させるために、矯正用インプラントに共に組み合わせて使用する矯正用インプラントの定位装置の誕生となった。
【０００５】
図１に示したものは、Ｘ線不透過性測定目盛を備える測定基準材９１と、前記測定基準材９１の一方側に連結する固定材９２とにより構成される矯正用インプラント定位装置である。これによって、患者の歯を定位固定し、手術する埋入点を表示するため、レントゲン（Ｘ線写真）固定支持器は、毎回レントゲン撮影をする時に、測定目盛、患者の歯の位置、及びレントゲンフィルムの対応位置が変わることがない等の効果を確実にする。矯正用インプラントの埋入過程における精確度を効果的に改善するだけでなく、矯正用インプラント定位装置を補助的な支えとして、矯正用インプラントの埋入角度の正確性を保証する。しかし、前記矯正用インプラント定位装置の埋入位置判断においてはやはり改善点が存在する。歯列矯正の手術は非常に精密な手術に属する。歯茎と歯茎間の空間が非常に狭く、矯正用インプラント定位装置上の測定目盛も非常に小さい。多くの場合、各目盛線間の間隔はわずかに1〜2ｍｍである。測定目盛上には固定間隔の計数目盛９３を配置しているが、前述の如く小さい目盛間において矯正用インプラントを埋入する位置が測定目盛の何行目であるか、又は何列目であるかを数えることは非常に不便である。
【考案の概要】
【考案が解決しようとする課題】
【０００６】
そこで、本考案の主な目的は、迅速且つ精確に矯正用インプラントの埋入点を判断できる矯正用インプラント定位装置を提供することにあり、それによって、レントゲン判断及び矯正用インプラント定位装置から埋入点を確定する過程の所要時間を確実に短縮し、判断ミスを大幅に減少させる。
【課題を解決するための手段】
【０００７】
前述の目的を達成するために、本考案の多重座標式矯正用インプラント定位装置は、患者の二歯間の頬側或いは舌側歯茎に付着させ、測定及び定位基準とする。適当な厚みを有する測定基準材を設けるが、前記測定基準材は十分な強度をもって矯正用インプラント埋入の一時的な支持体となり、しかも十分に軽く薄いために患者の頬側或いは舌側の空間に配置することができる。前記測定基準材にはＸ線不透過性材料(radiopaque material)で製作した測定目盛を備える。
前記測定基準材の一方側縁箇所には歯に付着固定させる固定材を連結する。前記測定目盛中には座標式定位構造を備え、前記定位構造には少なくとも一つの親座標と一つの子座標とを備える。前記親座標よって定位構造を複数の座標エリアに分け、各座標エリアは全て親座標より親座標番号を読み取り、指定する座標エリア中に前記子座標を有し、前記子座標によって詳細定位を行う。前記測定基準材は可撓性材質により製作され、口腔内部空間に合わせて折り曲げ可能とする。
【０００８】
実施例において、前記親座標は直角座標体系とし、前記測定目盛間には複数の矩形の座標エリアを形成し、前記測定基準材の二つの相隣するエッジにはそれぞれ第一座標軸記号と第二座標軸記号を配置する。
【０００９】
実施例において、前記第一座標軸記号は測定基準材と固定材を連結した側の反対側に配置し、第二座標軸記号は測定基準材と固定材を連結した側辺の隣接側に設ける。前記親座標を少なくとも２×２の直角座標とすることが最良である。
【００１０】
第二実施例において、前記第一座標軸記号及び第二座標軸記号は、左右対称となる図形や符合を選ぶことにより、矯正用インプラント定位装置がいかに配置されようとも、左右が逆に撮影されたりして座標軸記号が識別困難になることがない。
【００１１】
実施例において、前記子座標中には複数の座標枠及び少なくとも一つの定位記号を配置する。前記子座標を均等に分けた３×３の直角座標とすることが最良であり、前記座標エリアを９つの座標枠に分け、真中の座標枠には定位記号を配置する。
【考案の効果】
【００１２】
本考案は、親座標と子座標間の異なる座標体系によって埋入点に対する定位を行うもので、親座標によって初歩的で迅速な定位を行い、更に親座標体系から独立した他の子座標体系によって詳細定位を行う。これにより、正確度を失わないのと同時にミスを減らし、矯正用インプラントの埋入手術効率を高める効果を有する。
【図面の簡単な説明】
【００１３】
【図１】公知の矯正用インプラント定位装置の立体図である。
【図２】本考案の立体図である。
【図３】図２の座標枠部分の拡大図である。
【図４】選択した９つの座標枠が同一座標エリアにある図である。
【図５】選択した９つの座標枠が同一座標エリアにない図である。
【図６】第二実施例での子座標座標枠の立体図である。
【図７】本考案を用いて歯間の間隔測定を行いレントゲン撮影している作業実施図である。
【図８】レントゲンから判断した最良埋入点を示した図である。
【考案を実施するための形態】
【００１４】
本考案の構造、使用、及びその特徴に対し更なる認識を深め、詳細をご理解いただくために、次に、図面を参照した実施例を用いて詳細説明を行う。
【実施例】
【００１５】
まず、図２及び図３に示した第一実施例において、本考案の多重座標式矯正用インプラント定位装置には、適当な厚みを有する測定基準材を設けるが、前記測定基準材は十分な強度をもって矯正用インプラント埋入の一時的な支持体となり、しかも十分に軽く薄いために患者の頬側或いは舌側の空間に配置することができる。前記測定基準材１０にはＸ線不透過性材料(radiopaque material)で製作した測定目盛１１を備える。また、前記測定基準材１０の一方側縁箇所には歯に付着固定させる固定材１２を連結する。
【００１６】
本実施例において前記固定材１２は凝固性及び可塑性材質により作製する。前記固定材１２を調整して、矯正用インプラント定位装置を何れの患者の二本の歯の間の頬側或いは舌側の歯茎に組み合わせて連結し、測定及び定位基準とすることが可能である。矯正用インプラント定位装置の固定が完了した後は、固定材１２を凝固定型することにより、埋入手術の過程での定位基準維持を確実にする。
【００１７】
前記測定目盛１１は座標式の定位構造１３を備え、前記定位構造１３は少なくとも一つの親座標２０及び子座標３０を含む。前記親座標２０によって定位構造１３を複数の座標エリア２１に分割しているため、各座標エリア２１は全て親座標２０から親座標番号を読み取り、指定する座標エリア中に前記子座標３０を配置しているため、前記子座標３０を用いて詳細定位を行うことができる。前記測定基準材１０を口腔空間に応じて調整し、前記測定基準材１０は可撓性材質により作製する。
【００１８】
前記実施例において、親座標２０は４×４の直角座標とし、親座標２０によって定位構造１３を初期段階で16の座標エリア２１に分割する。しかし、ここで述べる親座標２０の大きさと座標エリア２１の数量は説明を便利にするためだけに用いたものであり、これに制限されないものとする。親座標２０の大きさと座標エリア２１の数量は定位構造１３のサイズに応じて調整を行い、比較的大きな定位構造１３上には比較的大きな親座標２０を設け、更に多くの座標エリア２１を含むことができる。それに対し、比較的小さな定位構造１３上には比較的小さな親座標２０を設けるが、座標エリア２１の含む面積が小さすぎることで座標分割の過密となり実用価値が失われるのを防止する。
【００１９】
定位構造１３の二つの相隣する側辺上にそれぞれ親座標２０の第一座標軸記号２２と第二座標軸記号２３を配置する（説明をわかり易くするために、後述する座標軸記号は第一座標軸記号２２及び第二座標軸記号２３を合わせた名称とする）。前記第一座標軸記号２２は順に、スペード、ハート、クローバー、ダイヤの図形具号とし、第二座標軸記号２３は順に、ローマ数字のI、II、III、Vとし、各座標エリア２１はそれぞれ親座標番号に対応している。第一座標軸記号２２の使用する図形符合と第二座標軸記号２３の使用する図形符合は異なる系列の図案を選択し、使用者が第一座標軸記号２２と第二座標軸記号２３を混同させないようにし、左右対称の図案を座標軸記号の図形符合として選択することにより、矯正用インプラント定位装置がどのように配置されても左右が逆に撮影されたり座標軸記号が識別困難となるようなことがない。
【００２０】
親座標２０が分割された座標エリア２１には更に、詳細定位させるための子座標３０を配置する。本実施例において、各座標エリア２１中には一つの子座標３０を配置する。しかし、これは説明をわかり易くするために用いたものであり、これに制限されることはない。即ち、詳細定位が必要のない座標エリア２１において、例えば歯茎位置或いは歯茎に非常に近い箇所にある座標エリア２１では、製造コストを削減するために子座標３０を配置しないことも可能である。また、それとは逆に、更に精確な定位を必要とする状況においては、単一の座標エリア２１中に複数の子座標３０を配置して詳細定位を行うことも可能である。
【００２１】
前記子座標３０において前記座標エリア２１の面積に基づき複数の座標枠３１に分割し、定位記号３２を配置する。定位記号３２を参考となる原点として用いることにより、使用者の識別に役立つ。本実施例において、子座標３０を３×３の直角座標に分割し、真中の座標枠３１箇所には定位点３２１を設けて定位記号３２とする。定位点３２１により、９の座標枠３１を左上座標枠３１１、中上座標枠３１２、右上座標枠３１３、左中座標枠３１４、真中座標枠３１５、右中座標枠３１６、左下座標枠３１７、中下座標枠３１８、右下座標枠３１９の９つに分割し、使用者は定位点３２１によって、見えた座標枠３１が同一の座標エリア２１中に属するのかどうかを識別できる。
【００２２】
図４及び図５に示すとおり、使用者が見た９つの座標枠３１の中央に定位点３２１を配置している場合、この９つの座標枠３１が同一の座標エリア２１中に属するのかどうかを確定できる。それとは逆に、使用者が見た９つの座標枠３１の中央に定位点３２１がなく、定位点３２１が中央から偏っている場合、この９つの座標枠３１は少なくとも二つの座標エリア２１に跨っていると識別できる。これによって、使用者が識別ミスをした時に、明確にミスを発見し修正できるため、正確に識別する確率を高められる。但し、３×３の直角座標を用いた子座標３０の座標枠３１の配列方式は説明をわかり易くするためのもので、唯一の配置でないことを明記する。
【００２３】
図６には第二実施例を示す。前記子座標３０の座標枠３１は座標エリア２１を上座標枠３１１ａ、下座標枠３１２ａ、左座標枠３１３ａ、右座標枠３１４ａ、中央座標枠３１５ａの五つの座標枠３１に分割する。この場合、座標枠３１中の枠線の配列方式が前記五種類の座標枠３１の形状をそれぞれ異なったものとし、しかも、座標エリア２１の中央はちょうど中央座標枠３１５ａと重なり、座標枠３１の形状が異なるために座標枠３１の作用を達成し、別に定位記号３２の設置が不要となる。
【００２４】
図７及び図８に示す通り、本考案の多重座標式矯正用インプラント定位装置を実際に使用する場合は、まず一般の矯正用インプラント定位装置の定位方法に基づいて、矯正用インプラント定位装置を患者の口腔内に取り付け、並びに、患者の歯間距離測定レントゲンを撮影した後、前記歯間距離測定レントゲンによって矯正用インプラントを埋入するのに適当な埋入点１４を判断する。本実施例において最適である埋入点１４は歯間距離測定レントゲン中の＊印箇所であり、更に親座標２０と子座標３０を組み合わせて判断を行う。図中からわかる通り、前記＊印はハート列及びIII行に位置し、子座標３０中の真中座標枠３１５に位置するため、（ハートIII、真中）或いは（ハート中、III中）と登録する。この多重座標の記録方式により、埋入点１４位置を正確に判断する確率を高められ、また、歯列矯正手術時に複数の医者が埋入点１４位置を討論する場合の簡単明瞭な表記方式ともなり得る。
【００２５】
前述した通り、本考案の多重座標式矯正用インプラント定位装置は、測定目盛箇所に配置した座標式定位構造、及び定位構造に配置した親座標と子座標を組み合わせた使用により、まず前記親座標により最良の埋入点がどの座標エリアに位置するかを読み取った後、更に前記子座標を用いて最良の埋入点が座標エリア中のどこに位置するかを判断する。多重の座標体系により、使用者は更に便利に正確に最良の埋入点の表記が可能となる。
【００２６】
以上の実施例開示は、本考案の説明をわかり易くするために用いたものであるが、これに制限されるものではないことを記する。本考案の精神を逸脱せず、本業界に熟知する技術者が本考案の実用新案登録請求の範囲及び明細書に基づき行った各種の簡易な変化及び修飾は全て、実用新案登録請求の範囲に含まれるものとする。
【符号の説明】
【００２７】
１０    測定基準材
１１    測定目盛
１２    固定材
１３    定位構造
１４    埋入点
２０    親座標
２１    座標エリア
２２    第一座標軸記号
２３    第二座標軸記号
３０    子座標
３１    座標枠
３１１  左上座標枠
３１１ａ  上座標枠
３１２  中上座標枠
３１２ａ  下座標枠
３１３  右上座標枠
３１３ａ  左座標枠
３１４  左中座標枠
３１４ａ  右座標枠
３１５  真中座標枠
３１５ａ  中央座標枠
３１６  右中座標枠
３１７  左下座標枠
３１８  中下座標枠
３１９  右下座標枠
３２    定位記号
３２１  定位点
９１    測定基準材
９２    固定材
９３    計数目盛
【図１】
0003165623.tif 000003
【図２】
0003165623.tif 000004
【図３】
0003165623.tif 000005
【図４】
0003165623.tif 000006
【図５】
0003165623.tif 000007
【図６】
0003165623.tif 000008
【図７】
0003165623.tif 000009
【図８】
0003165623.tif 000010